(57)【要約】【課題】本発明は上記問題を考慮し、装置を汚すことなく、記録用紙に写真等を貼り付けるための糊を付着させることを課題とする。【解決手段】テープ貼付装置５０によって、記録用紙Ｐ上に両面テープ５８を貼り付けるため、画像形成装置１０内を汚す心配がなく、記録用紙Ｐを重ねても記録用紙Ｐ同士が接着されてしまうことがない。【選択図】図３
2008214081.tif 000002
【特許請求の範囲】
【請求項１】
記録用紙を搬送し所定位置に停止させる搬送手段と、
両面テープを貼り付ける前記記録用紙上のテープ貼付領域を指定する領域指定手段と、
前記記録用紙の上を移動して、前記テープ貼付領域に前記両面テープを貼り付けるテープ貼付手段と、
を有することを特徴とするテープ貼付装置。
【請求項２】
前記テープ貼付手段は、前記両面テープを回転可能に格納するテープ格納部と、前記テープ格納部を昇降させ該両面テープの接着面を前記記録用紙に貼り付ける貼付手段と、前記テープ格納部を該記録用紙に沿って移動させる移動手段と、前記記録用紙に貼り付けられた前記両面テープを切断する切断手段と、を有して構成されていることを特徴とする請求項１に記載のテープ貼付装置。
【請求項３】
前記貼付手段は、前記記録用紙に貼り付けられた前記両面テープの剥離紙を押圧する押圧ローラを有することを特徴とする請求項２に記載のテープ貼付装置。
【請求項４】
前記切断手段は、押圧ローラで前記両面テープの剥離紙を押圧し、前記テープ格納部を上昇させて、該両面テープを切断することを特徴とする請求項２又は請求項３に記載のテープ貼付装置。
【請求項５】
前記領域指定手段で指定されたテープ貼付領域の前記両面テープの貼り付け始め位置から貼り付け終わり位置まで、前記テープ貼付手段を駆動制御する両面テープ制御手段を有することを特徴とする請求項１〜請求項４のいずれか１項に記載のテープ貼付装置。
【請求項６】
前記両面テープ制御手段は、前記領域指定手段で指定されたテープ貼付領域の幅が前記両面テープの幅より狭いとき、前記テープ貼付手段を駆動させないことを特徴とする請求項５に記載のテープ貼付装置。
【請求項７】
前記両面テープ制御手段は、前記領域指定手段で指定されたテープ貼付領域の幅が前記両面テープの幅より広いとき、貼り付ける両面テープの列数と両面テープを貼り付けない空白領域を決定して、前記テープ貼付手段に前記両面テープを貼り付けさせることを特徴とする請求項５に記載のテープ貼付装置。
【請求項８】
前記両面テープ制御手段は、前記領域指定手段で指定されたテープ貼付領域の幅が、前記両面テープの２本分の幅よりも小さい場合には、前記領域指定手段で指定されたテープ貼付領域の中央に該両面テープを１本貼り付けるように決定して、前記テープ貼付手段に前記両面テープを貼り付けさせることを特徴とする請求項５に記載のテープ貼付装置。
【請求項９】
前記両面テープ制御手段は、前記領域指定手段で指定されたテープ貼付領域の幅が前記両面テープの２本分の幅よりも大きい場合には、該領域指定手段で指定されたテープ貼付領域の両側にそれぞれ前記両面テープを貼り付けるように決定して、前記テープ貼付手段に前記両面テープを貼り付けさせることを特徴とする請求項５に記載のテープ貼付装置。
【請求項１０】
前記両面テープ制御手段は、隣接する前記両面テープの端部の間に所定の大きさ以上の空白領域を設けないように、前記テープ貼付手段に前記両面テープを貼り付けさせることを特徴とする請求項９に記載のテープ貼付装置。
【請求項１１】
前記両面テープは、交換可能に前記テープ格納部に格納されていることを特徴とする請求項２〜請求項１０のいずれか１項に記載のテープ貼付装置。
【請求項１２】
請求項１〜請求項１１のいずれか１項に記載のテープ貼付装置を備えたことを特徴とする画像形成装置。
【発明の詳細な説明】
【技術分野】
【０００１】
本発明は、記録用紙にテープを貼り付けるテープ貼付装置及び、このテープ貼付装置を備えた画像形成装置に関する。
【背景技術】
【０００２】
画像形成装置には、画像が形成された記録用紙を、ステープルで綴じたり、折り曲げたりする後処理機能が設けられている。
【０００３】
このような後処理機能には、記録用紙に写真等を貼り付ける際の手間を削減するために、あらかじめ記録用紙の設定した領域に糊を付着させる、というものもある（特許文献１参照）。
【特許文献１】特開平７−６１０８８号公報
【発明の開示】
【発明が解決しようとする課題】
【０００４】
本発明は上記問題を考慮し、装置を汚すことなく、記録用紙に写真等を貼り付けるための糊を付着させることを課題とする。
【課題を解決するための手段】
【０００５】
請求項１に記載の本発明は、記録用紙を搬送し所定位置に停止させる搬送手段と、両面テープを貼り付ける前記記録用紙上のテープ貼付領域を指定する領域指定手段と、前記記録用紙の上を移動して、前記テープ貼付領域に前記両面テープを貼り付けるテープ貼付手段と、を有することを特徴としている。
【０００６】
請求項２に記載の本発明は、前記テープ貼付手段は、前記両面テープを回転可能に格納するテープ格納部と、前記テープ格納部を昇降させ該両面テープの接着面を前記記録用紙に貼り付ける貼付手段と、前記テープ格納部を該記録用紙に沿って移動させる移動手段と、前記記録用紙に貼り付けられた前記両面テープを切断する切断手段と、を有して構成されていることを特徴としている。
【０００７】
請求項３に記載の本発明は、前記貼付手段は、前記記録用紙に貼り付けられた前記両面テープの剥離紙を押圧する押圧ローラを有することを特徴としている。
【０００８】
請求項４に記載の本発明は、前記切断手段は、押圧ローラで前記両面テープの剥離紙を押圧し、前記テープ格納部を上昇させて、該両面テープを切断することを特徴としている。
【０００９】
請求項５に記載の本発明は、前記領域指定手段で指定されたテープ貼付領域の前記両面テープの貼り付け始め位置から貼り付け終わり位置まで、前記テープ貼付手段を駆動制御する両面テープ制御手段を有することを特徴としている。
【００１０】
請求項６に記載の本発明は、前記両面テープ制御手段は、前記領域指定手段で指定されたテープ貼付領域の幅が前記両面テープの幅より狭いとき、前記テープ貼付手段を駆動させないことを特徴としている。
【００１１】
請求項７に記載の本発明は、前記両面テープ制御手段は、前記領域指定手段で指定されたテープ貼付領域の幅が前記両面テープの幅より広いとき、貼り付ける両面テープの列数と両面テープを貼り付けない空白領域を決定して、前記テープ貼付手段に前記両面テープを貼り付けさせることを特徴としている。
【００１２】
請求項８に記載の本発明は、前記両面テープ制御手段は、前記領域指定手段で指定されたテープ貼付領域の幅が、前記両面テープの２本分の幅よりも小さい場合には、前記領域指定手段で指定されたテープ貼付領域の中央に該両面テープを１本貼り付けるように決定して、前記テープ貼付手段に前記両面テープを貼り付けさせることを特徴としている。
【００１３】
請求項９に記載の本発明は、前記両面テープ制御手段は、前記領域指定手段で指定されたテープ貼付領域の幅が前記両面テープの２本分の幅よりも大きい場合には、該領域指定手段で指定されたテープ貼付領域の両側にそれぞれ前記両面テープを貼り付けるように決定して、前記テープ貼付手段に前記両面テープを貼り付けさせることを特徴としている。
【００１４】
請求項１０に記載の本発明は、前記両面テープ制御手段は、隣接する前記両面テープの端部の間に所定の大きさ以上の空白領域を設けないように、前記テープ貼付手段に前記両面テープを貼り付けさせることを特徴としている。
【００１５】
請求項１１に記載の本発明は、前記両面テープは、交換可能に前記テープ格納部に格納されていることを特徴としている。
【００１６】
請求項１２に記載の本発明は、請求項１〜請求項１１のいずれか１項に記載のテープ貼付装置を備えたことを特徴としている。
【発明の効果】
【００１７】
請求項１に記載の発明では、例えば、写真等を貼り付けるために、糊を記録用紙の所定の領域に塗布した場合と比較して、装置内を汚す心配がなく、記録用紙を重ねても記録用紙同士が接着されてしまうことがない。
【００１８】
請求項２に記載の発明では、本構成を有していない場合と比較して、記録用紙のテープ貼付領域に両面テープを貼り付けることができる。
【００１９】
請求項３に記載の発明では、本構成を有していない場合と比較して、両面テープが記録用紙に押し付けられるので、記録用紙の搬送中に両面テープが剥がれてしまうことがない。
【００２０】
請求項４に記載の発明では、本構成を有していない場合と比較して、両面テープを切断する際に、記録用紙から両面テープが剥がれることがない。
【００２１】
請求項５に記載の発明では、本構成を有していない場合と比較して、領域指定手段で指定された記録用紙上のテープ貼付領域に、両面テープが貼り付けられる。
【００２２】
請求項６に記載の発明では、本構成を有していない場合と比較して、領域指定手段で指定されたテープ貼付領域以外の領域に、両面テープが貼り付けられることがない。
【００２３】
請求項７に記載の発明では、本構成を有していない場合と比較して、テープ貼付領域に両面テープが重なった状態で貼り付けられることがない。
【００２４】
請求項８に記載の発明では、本構成を有していない場合と比較して、領域指定手段で指定されたテープ貼付領域の片側に、両面テープが寄った状態で貼り付けられることがない。
【００２５】
請求項９に記載の発明では、本構成を有していない場合と比較して、領域指定手段で指定されたテープ貼付領域の端部に、両面テープを貼り付けない空白領域が形成されない。
【００２６】
請求項１０に記載の発明では、本構成を有していない場合と比較して、領域指定手段で指定されたテープ貼付領域に貼り付けられた両面テープの端部の間に、必要以上に空白領域が設けられることがない。
【００２７】
請求項１１に記載の発明では、両面テープを交換可能とすることで、幅サイズ、厚さ、粘着力が異なる両面テープを使用できる。
【００２８】
請求項１２に記載の発明では、例えば、写真等を貼り付けるために、糊を記録用紙の所定の領域に塗布した場合と比較して、装置内を汚す心配がなく、記録用紙を重ねても記録用紙同士が接着されてしまうことがない。
【発明を実施するための最良の形態】
【００２９】
以下に図面を参照しながら本発明の実施の形態を詳細に説明する。図１には、本実施形態のテープ貼付装置５０が搭載された画像形成装置１０の概略構成が示されている。なお、画像形成装置としては、プリンタ、複写機、ファクシミリ或いはこれらの機能を併せ持つ複合機などの適用が可能であるが、以下では、これらの基本的機能を備えたプリンタを例に説明する。
（画像形成装置）
画像形成装置１０は、記録用紙Ｐが装填される給紙部１４、電子写真プロセスによって記録用紙Ｐに画像を形成する画像形成部１６、記録用紙Ｐの搬送を担う搬送部１８及び、画像が形成されて排出される記録用紙Ｐに対して、所定の後処理を施す後処理装置１２を有して構成されている。
【００３０】
画像形成部１６は、感光体ドラム２０が設けられた現像モジュール２２を有している。この現像モジュール２２には、感光体ドラム２０の周囲に、クリーナ、除電器、帯電器（何れも図示省略）と共に、走査露光手段としてレーザービーム等を用いたレーザー走査書き込み装置２４が設けられ、さらに現像器（図示省略）が設けられている。
【００３１】
現像モジュール２２では、感光体ドラム２０の周面を均一に帯電させた後、レーザー走査書き込み装置２４によって画像データに応じてレーザービームを走査しながら照射する。これにより、感光体ドラム２０上に、画像データに応じた静電潜像を形成する。
【００３２】
また、現像モジュール２２では、静電潜像を形成した感光体ドラム２０の周面にトナーを供給することにより、トナー像（例えば黒（Ｋ）色のトナー像）を形成する（トナー現像）。
【００３３】
画像形成部１６には、感光体ドラム２０に対向して転写ベルト２６が設けられており、感光体ドラム２０と転写ベルト２６の接触位置が転写位置となっている。
【００３４】
また、画像形成部１６では、給紙部１４から供給（給紙）される記録用紙Ｐを、この転写位置で感光体ドラム２０と転写ベルト２６によって挟持し、感光体ドラム２０に形成したトナー像を、記録用紙Ｐに転写しながら送り出す。
【００３５】
なお、本実施形態では、画像形成部１６として例えば、黒（Ｋ）色のトナーを用いた単色画像を形成するようにしているが、画像形成部１６としては、カラー画像の形成が可能なものであっても良い。
【００３６】
このときには、Ｋ色に加えて、Ｙ（イエロー）、Ｍ（マゼンタ）Ｃ（シアン）の各色の現像モジュール又は現像器を用い、印刷用として入力される画像データ（カラー画像データ）を、ＲＩＰ処理することによりＹ、Ｍ、Ｃ、Ｋの各色成分のデータ（ラスタデータ）を生成し、それぞれのラスタデータを用いて、感光体ドラムを走査露光すると共に、Ｙ、Ｍ、Ｃ、Ｋの各色のトナーを用いてＹ、Ｍ、Ｃ、Ｋの各色のトナー像を形成し、これらのトナー像を中間転写体に重畳しながら転写するか、直接、記録用紙Ｐに重畳しながら転写して、フルカラーのトナー像を形成するものであれば良い。
【００３７】
また、画像形成部１６には、定着モジュール（定着器）２８が設けられている。この定着モジュール２８は、図示しないヒータによって所定の温度に加熱された定着ローラ３０を備えており、トナー像が転写された記録用紙Ｐを、定着ローラ３０によって挟持することにより加圧しながら加熱する。
【００３８】
これにより、記録用紙Ｐ上のトナーが溶融して記録用紙Ｐに定着され、画像データに応じた画像が記録用紙Ｐに形成される。
【００３９】
一方、給紙部１４には、それぞれに多数枚の記録用紙Ｐを積層して収容可能とする複数の給紙トレイ３２を備えている。なお、本実施の形態では、比較的小サイズの記録用紙Ｐを収容する給紙トレイ３２Ａ、３２Ｂと、比較的大きいサイズの記録用紙Ｐまで収容が可能となっている給紙トレイ３２Ｃ、３２Ｄを設けているが、以下では、総称して給紙トレイ３２とする。
【００４０】
なお、給紙トレイ３２の数及び収容可能な記録用紙Ｐのサイズはこれに限るものではない。また、画像形成装置１０には、手差しトレイを設けて、この手差しトレイから記録用紙Ｐの給紙が可能となっているものであっても良い。
【００４１】
給紙トレイ３２には、図示は省略するが、ピックアップローラ及びフィードローラが設けられており、ピックアップローラによって給紙トレイ３２内の最上層の記録用紙Ｐが取出され、この記録用紙Ｐはフィードローラによって給紙トレイ３２から送り出される。
【００４２】
一方、搬送部１８は、給紙トレイ３２のそれぞれから送り出された記録用紙Ｐを画像形成部１６の転写位置（感光体ドラム２０と転写ベルト２６の間）へ搬送する給紙用搬送路３４と、定着モジュール２８から送り出される記録用紙Ｐを、後述する後処理装置１２へ向けて案内搬送する排紙用搬送路３６を備えている。
【００４３】
給紙トレイ３２から送り出された記録用紙Ｐは、給紙用搬送路３４に設けられた搬送ローラ３５によって、給紙用搬送路３４に沿って搬送されて画像形成部１６へ給紙される。なお、手差しトレイ１１を用いて給紙するときには、記録用紙Ｐが手差しトレイ１１から、給紙用搬送路３４の途中に挿入されるようになっている。
【００４４】
給紙用搬送路３４には、転写位置の近傍で、転写位置よりも記録用紙Ｐの搬送方向上流側にレジローラ（レジストローラ）３８が設けられており、感光体ドラム２０への画像形成に同期させたタイミングでレジローラ３８を駆動して、搬送部１８から記録用紙Ｐを転写位置へ送り出すようにしている。
【００４５】
画像が形成されて定着モジュール２８から送り出される記録用紙Ｐは、排紙用搬送路３６に設けられた搬送ローラ３５によって、排紙用搬送路３６に沿って搬送されることにより、後述する後処理装置１２を介して、排紙トレイ４８上に排出される。
【００４６】
画像形成装置１０には、定着モジュール２８よりも記録用紙Ｐの搬送方向下流側に、切替部４０が設けられ、この切替部４０から分岐して反転部４２及び両面用搬送路４４が設けられている。
【００４７】
定着モジュール２８から送り出された記録用紙Ｐは、切替部４０によって搬送方向が切換えられて、反転部４２へ案内される。これにより反転部４２へ送り込まれた記録用紙Ｐが、反転部４２から給紙用搬送路３４へ戻されることにより、記録用紙Ｐの画像形成面が反転する。
【００４８】
また、画像形成装置１０では、記録用紙Ｐの表裏両面に画像を形成する両面印刷が可能となっており、両面印刷を行うときには、一方の面（表面）の画像形成が終了した記録用紙Ｐを反転部４２から両面用搬送路４４へ送り込む。両面用搬送路４４に送り込まれた記録用紙Ｐは、両面用搬送路４４から給紙用搬送路３４へ戻されることにより、他方の面（裏面）への画像形成が可能となる。
【００４９】
一方、切替部４０で排紙用搬送路３６へ送り込まれた記録用紙Ｐは、後処理装置１２に送り込まれる。後処理装置１２には、複数の搬送ローラ３７によって構成された搬送経路４６が設けられている。搬送経路４６の入口は、画像形成装置１０の排紙口に位置するようになっており、画像形成部１６から搬送されてきた記録用紙Ｐが搬入される。
【００５０】
搬送経路４６上には、テープ貼付装置５０が設けられており、このテープ貼付装置５０によって、画像が形成された記録用紙Ｐの画像形成面の所定の領域に、両面テープ５８が貼り付けられるようになっている。そして、排紙トレイ４８には、後処理が施された（ここでは、両面テープ５８が貼り付けられた）記録用紙Ｐが排出される。
【００５１】
なお、後処理装置１２には、図示は省略するが、テープ貼付装置５０以外にも、複数枚の記録用紙Ｐを重ねてパンチング／ホチキス処理を施すパンチング／ホチキス処理機構、複数枚の記録用紙Ｐを簡易製本するブックトレイ機構等が設けられている。
【００５２】
ここで、テープ貼付装置５０について説明する。
【００５３】
図３及び図４に示すように、テープ貼付装置５０は、両面テープ５８を格納するテープ格納部５６とカッター支持部６０を保持するハウジング７２を備えている。
【００５４】
ハウジング７２は、正面から見て略コ字状とされており、記録用紙Ｐの搬送方向に沿った側壁７２Ａには、貫通孔１０４が形成されている。
【００５５】
この貫通孔１０４には、移動機構６４を構成するシャフト１０６が、記録用紙Ｐの幅方向に挿通されており、ハウジング７２はシャフト１０６に沿って、記録用紙Ｐの幅方向に移動可能とされている。
【００５６】
シャフト１０６の一端は、画像形成装置１０のフレームに形成された長溝にスライド可能に支持されており、他端は記録用紙Ｐの幅方向の端部に配設された矩形状のブロック１０８に取り付けられている。
【００５７】
また、ハウジング７２の側壁７２Ａには、貫通孔１０４と並んでネジ孔１０７が形成されている。このネジ孔１０７には、シャフト１０６と平行に設けられたボールネジ１１０が挿通している。
【００５８】
ボールネジ１１０の一端は画像形成装置１０のフレームに形成された長溝へ回転自在且つスライド可能に支持されており、他端はブロック１０８に形成された貫通孔１１２に回転可能に貫通されている。
【００５９】
このボールネジ１１０の他端には、ブロック１０８に取り付けられたパルスモータ１１４の回転軸が直結しており、パルスモータ１１４の回転駆動によってボールネジ１１０が回転すると、ハウジング７２はシャフト１０６に支持されながら、記録用紙Ｐの幅方向へ移動するようになっている。
【００６０】
また、ブロック１０８には、記録用紙Ｐの搬送方向に沿ってネジ孔１１６が形成されている。このネジ孔１１６には、ボールネジ１１８が挿通されており、ボールネジ１１８の端部には、支持台１２１に固定されたパルスモータ１２０の回転軸が直結している。
【００６１】
ブロック１０８は、矩形状のブロック１２２に固定されている。このブロック１２２には、記録用紙Ｐの搬送方向に沿って貫通孔１２４が形成されており、この貫通孔１２４には記録用紙Ｐの搬送方向に沿って設けられたシャフト１２６が挿通されている。
【００６２】
この構成により、パルスモータ１２０の回転駆動によってボールネジ１１８が回転すると、ブロック１０８を介してブロック１２２がシャフト１２６に沿って移動し、シャフト１０６とボールネジ１１０と共に、ハウジング７２が記録用紙Ｐの搬送方向へ移動するようになっている。
【００６３】
一方、ハウジング７２の内壁には、上下方向にガイドレール７１が設けられている。ガイドレール７１は、テープ格納部５６としての格納部本体７４に形成された溝７３に係合されており、テープ格納部５６はハウジング７２に昇降可能な状態で保持されている。
【００６４】
格納部本体７４は、正面が開口されており、図示は省略するが、格納部本体７４の開口を覆うカバー及び格納部本体７４の奥壁（開口と対向する側壁）に設けられた係止ピンが、両面テープ５８の軸５８Ａに形成された孔部５１を支持する。この係合ピンに、両面テープ５８の軸５８Ａに形成された孔部５１を支持させることで、両面テープ５８はテープ格納部５６内に、回転可能な状態で格納される。
【００６５】
両面テープ５８は、格納部本体７４の開口側から軸５８Ａと一緒に引き出すことができるようになっている。これにより、必要に応じて、幅サイズ、厚さ、粘着力が異なる両面テープに交換できる。
【００６６】
また、格納部本体７４の底壁７４Ａ近傍には、貼付ローラ７８が設けられている。貼付ローラ７８の軸７８Ａは、格納部本体７４の奥壁とカバーの裏面に回転可能に支持されており、底壁７４Ａに形成された開口部８０から一部が露出している。
【００６７】
貼付ローラ７８の表面は粘着性を有しており、テープ格納部５６に格納された両面テープ５８の剥離紙（記録用紙Ｐに貼り付けられる接着面と反対側の面）が、貼付ローラ７８の表面に保持される。これにより、両面テープ５８の先端は、貼付ローラ７８の外周面に保持された状態で、開口部８０からテープ格納部５６の外側に露出している。
【００６８】
なお、本実施形態では、表面が粘着性を有する貼付ローラ７８を用いることで、貼付ローラ７８に両面テープ５８の剥離紙側を保持させる構成としたが、ローラに吸引機構を連結させ、ローラ内の空気を吸引することによってローラの表面に両面テープ５８の裏面を保持させる構成とすることもできる。
【００６９】
格納部本体７４の側壁７４Ｂには、格納部本体７４を昇降させる昇降機構６８を構成するモータ８２が取り付けられている。
【００７０】
このモータ８２の軸には、ギア８４が取り付けられている。このギア８４は、ハウジング７２の側壁７２Ａから立設された突壁部８６に形成されたラック８８に噛合しており、モータ８２の回転駆動によってギア８４が回転すると、テープ格納部５６はハウジング７２内を図の上下方向に移動する（昇降する）構成となっている。
【００７１】
一方、ハウジング７２の内壁には、上下方向にガイドレール６９が設けられている。ガイドレール６９は、カッター支持部６０としての支持部本体９０に形成された溝６７に係合されており、テープ格納部５６と同様にして、支持部本体９０はハウジング７２に昇降可能な状態で保持されている。
【００７２】
また、支持部本体９０は略矩形箱体とされており、テープ格納部５６側の側壁９０Ａには、記録用紙Ｐの幅方向に沿って、長尺状のカッター６２が、刃先を記録用紙Ｐに向け取り付けられている。
【００７３】
また、支持部本体９０の側壁９０Ｂ近傍には、押付ローラ９４が設けられている。押付ローラ９４の軸９４Ａは、支持部本体９０の奥壁とカバー（図示省略）に回転可能に支持されており、側壁９０Ｂに形成された開口部９６から、カッター６２の刃先と共に、一部がカッター支持部６０（支持部本体９０）の外側に露出している。
【００７４】
なお、カッター６２の刃先は、テープ格納部５６に設けられた貼付ローラ７８及び押付ローラ９４よりもやや上方（記録用紙Ｐから離れた方向）に位置している。このため、カッター支持部６０を下降させたとき（記録用紙Ｐに向かって移動させたとき）、記録用紙Ｐには押付ローラ９４が先に接触して、カッター６２の刃先が記録用紙Ｐに接触しない構成となっている。
【００７５】
また、支持部本体９０の側壁９０Ｂには、支持部本体９０を昇降させる昇降機構７０を構成するモータ（図示省略）が取り付けられている。このモータの軸には、ギア９８が設けられている。このギア９８は、ハウジング７２の側壁７２Ｂから立設された突壁部１００に形成されたラック１０２に噛合しており、モータの回転駆動によってギア９８が回転すると、カッター支持部６０はハウジング７２内を図の上下方向に移動する（昇降する）構成となっている。
【００７６】
上記構成のテープ貼付装置５０は、図１に示すように、搬送経路４６を構成する搬送ローラ３７Ａと搬送ローラ３７Ｂの間に設けられたプラテン１２８の上方に位置しており、シャフト１０６、１２６に沿って、記録用紙Ｐの搬送方向及び幅方向に移動可能とされている。
【００７７】
搬送ローラ３７Ｂの下流側にはセンサ１３０が設置されており、センサ１３０によって記録用紙Ｐの先端が搬送ローラ３７Ｂを通過したのが検知されると、記録用紙Ｐがプラテン１２８上に配置される（搬送ローラ３７Ｂと搬送ローラ３７Ａで記録用紙Ｐが挟まれる）タイミングで、搬送ローラ３７Ａ、３７Ｂの駆動が停止する。これにより、記録用紙Ｐは搬送方向の両側を搬送ローラ３７Ｂ及び搬送ローラ３７Ａで挟持されながら、プラテン１２８上で待機した状態となり、両面テープ５８の貼り付けが可能となる。
【００７８】
また、図２に示すように、画像形成装置１０は用紙搬送制御装置１７を備えている。この用紙搬送制御装置１７によって、画像形成部１６から記録用紙Ｐが送られてくるタイミングが検知され、両面テープ制御装置６５に両面テープ５８を貼り付ける命令が出される。そして、両面テープ制御装置６５は、領域指定手段６６で指定された両面テープ５８を貼り付ける領域（テープ貼付領域Ｍ）の貼り付け始め位置から貼り付け終わり位置に応じた情報に基づいて、テープ貼付装置５０を移動させる移動機構６４の駆動を制御している。
【００７９】
領域指定手段６６は、画像形成装置１０本体に設けられた操作パネル５２（図１参照）で入力された情報に基づいて、テープ貼付領域Ｍを決定する。
【００８０】
操作パネル５２には、記録用紙Ｐの先端から、テープ貼付領域Ｍの送り方向の前後の位置、また、記録用紙Ｐの幅方向端部からテープ貼付領域Ｍの幅方向の位置を数値で特定できるようにテーブルが表示される。
【００８１】
また、後処理装置１２に設けられた用紙搬送制御手段５５は、搬送ローラ３７の駆動を制御する。すなわち、搬送経路４６（図１参照）へ搬送された記録用紙Ｐがプラテン１２８上に送り込まれると、搬送ローラ３７Ａ、３７Ｂの駆動を停止させる。
【００８２】
次に、テープ貼付装置５０によって、記録用紙Ｐの所定の領域に、両面テープ５８を貼り付ける動作について説明する。なお、ここでは、テープ貼付領域Ｍに所定の間隔を開けた状態で、両面テープ５８が二列貼り付けられる例を説明する。
【００８３】
まず、ユーザーが操作パネル５２（図１参照）上で、領域指定手段６６へ記録用紙Ｐ上に両面テープ５８を貼り付ける指示をすると共に、テープ貼付領域Ｍを指定する。
【００８４】
テープ貼付領域Ｍが指定されると、領域指定手段６６は、テープ貼付領域Ｍに貼り付けるべき両面テープ５８の列数及び間隔を決定する。
【００８５】
そして、ユーザーが操作パネル５２上で印刷開始の指示を行うと、給紙トレイ３２から所定のサイズの記録用紙Ｐが送り出され、この記録用紙Ｐ上に画像形成部１６によって画像が形成された後、後処理装置１２へ送り込まれる。
【００８６】
後処理装置１２へ送り込まれた記録用紙Ｐの先端が、センサ１３０を通過して所定量搬送されると、記録用紙Ｐが搬送ローラ３７Ａ及び搬送ローラ３７Ｂで挟まれた位置で搬送ローラ３７Ａ、３７Ｂの駆動が停止する。
【００８７】
そして、移動機構６４は、領域指定手段６６で指定された領域の端部へ、ハウジング７２が図４に示す待機位置から移動して停止するように、パルスモータ１１４、１２０に与えるパルス数を制御する。
【００８８】
これにより、図５（Ａ）及び図５（Ｂ）に示すように、一列目の両面テープ５８が貼り付けられるテープ貼り付け始めの位置の上方に、両面テープ５８の先端を位置させる。
【００８９】
ここで、図６に示すように、昇降機構６８、７０のモータ８２を所定の回転数駆動させることによって、テープ格納部５６とカッター支持部６０が同時に下降される。これにより、貼付ローラ７８に保持された両面テープ５８の先端が、記録用紙Ｐに貼り付けられる。
【００９０】
そして、図７（Ａ）に示すように、移動機構６４のパルスモータ１２０（図４参照）の駆動によって、ハウジング７２が記録用紙Ｐの搬送方向の上流側に向かって移動される。このとき、貼付ローラ７８は、記録用紙Ｐに両面テープ５８を貼り付けながら、ハウジング７２の移動に伴って、両面テープ５８がテープ格納部５６から引き出される。このとき、記録用紙Ｐに貼り付けられた両面テープ５８を、カッター支持部６０に設けられた押付ローラ９４が記録用紙Ｐに押し付ける。
【００９１】
図７（Ｂ）に示すように、移動機構６４のパルスモータ１２０の駆動（図４参照）によって、一列目の両面テープ５８の貼り付け終わりの位置までハウジング７２が移動され、記録用紙Ｐ上に一列目の両面テープ５８が貼り付けられると、パルスモータ１２０の駆動が停止され、ハウジング７２の移動が停止する。
【００９２】
そして、ハウジング７２が停止すると、図８（Ａ）に示すように、昇降機構６８のモータ８２（図３参照）の駆動によって、テープ格納部５６のみが上昇する。このとき、昇降機構７０のモータは駆動されず、カッター支持部６０は上昇しないため、テープ格納部５６の上昇によって両面テープ５８の剥離紙にカッター６２の先端が当たる。モータ８２の駆動によってテープ格納部５６がさらに上昇すると、図８（Ｂ）に示すように、両面テープ５８がカッター６２によってカットされる。
【００９３】
両面テープ５８がカットされると、図９に示すように、昇降機構７０のモータの駆動によって、カッター支持部６０がテープ格納部５６と同じ高さとなるまで上昇する。
【００９４】
そして、図１０（Ａ）及び図１０（Ｂ）に示すように、ハウジング７２は、移動機構６４のパルスモータ１１４、１２０（図４参照）の駆動によって移動されて、二列目の両面テープ５８の貼り付け始めの位置の上方に、両面テープ５８の先端を位置させる。そして、二列目の両面テープ５８の貼り付け終わりの位置まで、パルスモータ１２０の駆動によってハウジング７２が移動され、両面テープ５８がカットされて、記録用紙Ｐ上に二列目の両面テープ５８が貼り付けられる。二列目の両面テープ５８の貼り付けが終了すると、パルスモータ１１４、１２０の駆動によってハウジング７２は待機位置へ戻り、図１１に示すように、搬送ローラ３７Ａ、３７Ｂが駆動して記録用紙Ｐが搬送され、排紙トレイ４８上（図１参照）に排出される。
【００９５】
このように、記録用紙Ｐに貼り付けられた両面テープ５８から、図１２（Ａ）に示すように、剥離紙を剥がすことで、図１２（Ｂ）に示すように、記録用紙Ｐに写真等を貼り付けることができる。
【００９６】
なお、本実施形態では、領域指定手段６６（図２参照）によって、テープ貼付領域Ｍに貼り付けられる両面テープ５８の列を二列として説明したが、両面テープ５８の列数と貼付位置は、テープ貼付領域Ｍの幅（記録用紙Ｐの幅方向と平行な幅）によって領域指定手段６６で決定されるようになっている。
【００９７】
ここで、領域指定手段６６によって、テープ貼付領域Ｍに貼り付けられる両面テープ５８の列数及び位置の決定方法について説明する。
【００９８】
テープ貼付領域Ｍの幅方向の長さ（記録用紙Ｐの幅方向に沿った長さ）をａ、両面テープ５８の幅サイズをｂ、両面テープ５８を複数列貼り付ける際の両面テープ５８間の余白の幅サイズをｃとする。なお、余白の幅サイズｃは、ユーザー側で設定可能とされている。
【００９９】
ここで、図１３に示すように、ユーザーによって操作パネル５２から入力されたテープ貼付領域Ｍにおいて、領域指定手段６６がａ＜ｂの式が成り立つと判断すると、つまり、テープ貼付領域Ｍの幅が両面テープ５８の幅より狭いとき、両面テープ制御装置６５は、移動機構６４を駆動させない。このとき、操作パネル５２に両面テープ５８の貼り付けが不可能である表示がされると共に、給紙トレイ３２から記録用紙Ｐが、画像形成部１６へ送り込まれないようになっている。
【０１００】
一方、図１４（Ａ）に示すように、テープ貼付領域Ｍにおいて、ｂ≦ａ≦２ｂ＋ｃの式が成り立つ場合、つまり、テープ貼付領域Ｍの幅が両面テープ５８の１本分の幅よりも大きく、２本分の幅よりも小さい場合には、テープ貼付領域Ｍの中央に両面テープ５８を一列貼り付けるように決定される。
【０１０１】
これにより、図１４（Ｂ）に示すように、テープ貼付領域Ｍの縦方向の中心に、両面テープ５８が一列貼り付けられる。
【０１０２】
なお、本実施形態では、テープ貼付領域Ｍに貼り付けられる両面テープ５８が一列の場合、この両面テープ５８はテープ貼付領域Ｍの中央に貼り付けられる形態で説明しているが、図１５（Ａ）に示すように、テープ貼付領域Ｍの上側や、図１５（Ｂ）に示すように、テープ貼付領域Ｍの下側に、両面テープ５８が貼り付けられるように、操作パネル５２でユーザーが設定することも可能とされている。
【０１０３】
また、図１６（Ａ）に示すように、テープ貼付領域Ｍにおいて、２ｂ＋ｃ＜ａの式が成り立つ場合、つまり、テープ貼付領域Ｍの幅が両面テープ５８の２本分の幅よりも大きい場合には、テープ貼付領域Ｍの両側（上下）にそれぞれ両面テープ５８が貼り付けられるように決定される。
【０１０４】
さらに、図１７（Ａ）に示すように、テープ貼付領域Ｍにおいて、ａ−３ｂ＞２ｃの式が成り立つ場合、つまり、二列の両面テープ５８が貼られた間に、もう一列両面テープ５８を、隣接する両面テープ５８間に所定の余白ｃを設けた状態で貼り付けることができる場合には、テープ貼付領域Ｍのすでに貼り付けられている二列の両面テープ５８間の中央に、もう一列両面テープ５８が貼り付けられるように決定される。
【０１０５】
これにより、図１７（Ｂ）に示すように、テープ貼付領域Ｍには３列で両面テープ５８が貼り付けられる。そして、隣接する両面テープ５８の間に、さらにもう一列両面テープ５８を、隣接する両面テープ５８間に所定の余白ｃを設けた状態で貼り付けることができる場合には、もう一列両面テープ５８が貼り付けるように決定される。
【０１０６】
このように、記録用紙Ｐの所定の領域に、写真等を貼り付ける場合、この所定の領域に両面テープ５８が貼り付けられるので、写真等の裏に糊付けする必要がない。また、記録用紙Ｐの所定の領域に糊を付着させる従来の構成と比較して、記録用紙Ｐに付着された糊が、搬送ローラ３７や搬送経路４６などに付着したり、糊が付着した記録用紙Ｐの上に別の記録用紙Ｐが排出されて、記録用紙Ｐ同士が貼り付いてしまう、という心配がない。
【０１０７】
なお、本実施形態では、両面テープ５８を記録用紙Ｐの搬送方向に沿って貼り付ける構成で説明したが、記録用紙Ｐの幅方向に沿って両面テープ５８を記録用紙Ｐに貼り付ける構成としてもよい。
【図面の簡単な説明】
【０１０８】
【図１】本発明の実施形態に係るテープ貼付装置が搭載された画像形成装置の概略図である。
【図２】本発明の実施形態に係るテープ貼付装置のブロック図である。
【図３】本発明の実施形態に係るテープ貼付装置の斜視図である。
【図４】本発明の実施形態に係るテープ貼付装置の移動機構を示す斜視図である。
【図５】本発明の実施形態に係るテープ貼付装置の動作を示す図であり、（Ａ）は側面図であり、（Ｂ）は平面図である。
【図６】本発明の実施形態に係るテープ貼付装置の側面図である。
【図７】本発明の実施形態に係るテープ貼付装置の動作を示す図であり、（Ａ）は側面図であり、（Ｂ）は平面図である。
【図８】本発明の実施形態に係るテープ貼付装置の動作を示す図であり、（Ａ）は両面テープ格納部を上昇させた状態を示す側面図であり、（Ｂ）は両面テープ格納部の上昇によって両面テープがカッターでカットされた状態を示す側面図である。
【図９】本発明の実施形態に係るテープ貼付装置の側面図である。
【図１０】本発明の実施形態に係るテープ貼付装置の動作を示す図であり、（Ａ）は側面図であり、（Ｂ）は平面図である。
【図１１】本発明の実施形態に係るテープ貼付装置の側面図である。
【図１２】（Ａ）は記録用紙に貼り付けた両面テープから剥離紙を剥がす状態を示す側面図であり、（Ｂ）は剥離紙を剥がした両面テープに写真を貼り付けようとしている状態を示す図である。
【図１３】領域指定手段によって指定されたテープ貼付領域と両面テープの関係を示す平面図である。
【図１４】領域指定手段によって指定されたテープ貼付領域と両面テープの関係を示す平面図である。
【図１５】領域指定手段によって指定されたテープ貼付領域と両面テープの関係を示す平面図である。
【図１６】領域指定手段によって指定されたテープ貼付領域と両面テープの関係を示す平面図である。
【図１７】領域指定手段によって指定されたテープ貼付領域と両面テープの関係を示す平面図である。
【符号の説明】
【０１０９】
１０   画像形成装置
３５   搬送ローラ（搬送手段）
５０   テープ貼付装置（テープ貼付手段）
５６   両面テープ格納部
５８   両面テープ
６２   カッター（切断手段）
６４   移動機構（移動手段）
６６   領域指定手段
７８   押圧ローラ
８４   ギア（押付手段）
８８   ラック（押付手段）
９８   ギア（押付手段）
【図１】
2008214081.tif 000003
【図２】
2008214081.tif 000004
【図３】
2008214081.tif 000005
【図４】
2008214081.tif 000006
【図５】
2008214081.tif 000007
【図６】
2008214081.tif 000008
【図７】
2008214081.tif 000009
【図８】
2008214081.tif 000010
【図９】
2008214081.tif 000011
【図１０】
2008214081.tif 000012
【図１１】
2008214081.tif 000013
【図１２】
2008214081.tif 000014
【図１３】
2008214081.tif 000015
【図１４】
2008214081.tif 000016
【図１５】
2008214081.tif 000017
【図１６】
2008214081.tif 000018
【図１７】
2008214081.tif 000019